【手続補正書】
【提出日】平成18年4月3日(2006.4.3)
【手続補正１】
【補正対象書類名】明細書
【補正対象項目名】発明の名称
【補正方法】変更
【補正の内容】
【発明の名称】移動通信システム、端末リソース制御部及び基地局リソース制御部、並びにそれらの制御方法
【手続補正２】
【補正対象書類名】明細書
【補正対象項目名】特許請求の範囲
【補正方法】変更
【補正の内容】
【特許請求の範囲】
【請求項１】  移動通信システムであって、
無線伝送方式から独立した制御を行う端末リソース制御部と、
無線伝送方式に依存した制御を行う複数の基地局リソース制御部とを有し、
前記端末リソース制御部が、前記複数の基地局リソース制御部を管理する、移動通信システム。
【請求項２】  請求項１に記載の移動通信システムにおいて、
スイッチング装置を有し、
前記端末リソース制御部が、前記複数の基地局リソース制御部に前記スイッチング装置を介して接続されていることを特徴とする移動通信システム。
【請求項３】  請求項２に記載の移動通信システムにおいて、
前記スイッチング装置が、ルータ又はハブであることを特徴とする移動通信システム。
【請求項４】  請求項１に記載の移動通信システムにおいて、
前記端末リソース制御部が、前記複数の基地局リソース制御部から物理的に分離されていることを特徴とする移動通信システム。
【請求項５】  請求項１に記載の移動通信システムにおいて、
前記端末リソース制御部が、端末位置検出部と、共通無線リソース管理部と、ブロードキャストネットワーク素子と、モバイルコントローラと、からなることを特徴とする移動通信システム。
【請求項６】  請求項１に記載の移動通信システムにおいて、
前記複数の基地局リソース制御部は、それぞれ、セルコントローラと、無線レイヤ制御部と、セル伝達ゲートウェイと、ユーザ無線ゲートウェイと、からなることを特徴とする移動通信システム。
【請求項７】  請求項１に記載の移動通信システムにおいて、
前記複数の基地局リソース制御部は、それぞれ基地局に組み込まれていることを特徴とする移動通信システム。
【請求項８】  請求項１に記載の移動通信システムにおいて、
移動端末を有することを特徴とする移動通信システム。
【請求項９】  移動通信システムの制御方法であって、
端末リソース制御部が無線伝送方式から独立した制御を行う工程と、
複数の基地局リソース制御部が無線伝送方式に依存した制御を行う工程とを有し、
前記端末リソース制御部が、前記複数の基地局リソース制御部を管理する、移動通信システムの制御方法。
【請求項１０】  移動通信システムであって、
無線伝送方式から独立した制御を行う複数の端末リソース制御部と、
無線伝送方式に依存した制御を行う基地局リソース制御部とを有し、
前記複数の端末リソース制御部が、前記基地局リソース制御部を管理する、移動通信システム。
【請求項１１】  請求項１０に記載の移動通信システムにおいて、
スイッチング装置を有し、
前記複数の端末リソース制御部が、前記基地局リソース制御部に前記スイッチング装置を介して接続されていることを特徴とする移動通信システム。
【請求項１２】  請求項１１に記載の移動通信システムにおいて、
前記スイッチング装置が、ルータ又はハブであることを特徴とする移動通信システム。
【請求項１３】  請求項１０に記載の移動通信システムにおいて、
前記複数の端末リソース制御部が、前記基地局リソース制御部から物理的に分離されていることを特徴とする移動通信システム。
【請求項１４】  請求項１０に記載の移動通信システムにおいて、
前記複数の端末リソース制御部は、それぞれ、端末位置検出部と、共通無線リソース管理部と、ブロードキャストネットワーク素子と、モバイルコントローラと、からなることを特徴とする移動通信システム。
【請求項１５】  請求項１０に記載の移動通信システムにおいて、
前記基地局リソース制御部が、セルコントローラと、無線レイヤ制御部と、セル伝達ゲートウェイと、ユーザ無線ゲートウェイと、からなることを特徴とする移動通信システム。
【請求項１６】  請求項１０に記載の移動通信システムにおいて、
前記基地局リソース制御部が、基地局に組み込まれていることを特徴とする移動通信システム。
【請求項１７】  請求項１０に記載の移動通信システムにおいて、
移動端末を有することを特徴とする移動通信システム。
【請求項１８】  移動通信システムの制御方法であって、
複数の端末リソース制御部が無線伝送方式から独立した制御を行う工程と、
基地局リソース制御部が無線伝送方式に依存した制御を行う工程とを有し、
前記複数の端末リソース制御部が、前記基地局リソース制御部を管理する、移動通信システムの制御方法。
【請求項１９】  端末リソース制御部であって、
端末位置検出部と、
共通無線リソース管理部と、
ブロードキャストネットワーク素子と、
モバイルコントローラとを有し、
前記端末リソース制御部が、無線伝送方式から独立した制御を行い、かつ、無線伝送方式に依存した制御を行う複数の基地局リソース制御部を管理する、端末リソース制御部。
【請求項２０】  端末リソース制御部の制御方法であって、
無線伝送方式から独立した制御を行う工程を有し、
前記端末リソース制御部が、無線伝送方式に依存した制御を行う複数の基地局リソース制御部を管理する、端末リソース制御部の制御方法。
【請求項２１】  基地局リソース制御部であって、
セルコントローラと、
無線レイヤ制御部と、
セル伝達ゲートウェイと、
ユーザ無線ゲートウェイとを有し、
前記基地局リソース制御部が、無線伝送方式に依存した制御を行い、かつ、無線伝送方式から独立した制御を行う複数の端末リソース制御部により管理される、基地局リソース制御部。
【請求項２２】  基地局リソース制御部の制御方法であって、
無線伝送方式に依存した制御を行う工程を有し、
前記基地局リソース制御部が、無線伝送方式から独立した制御を行う複数の端末リソース制御部を管理する、基地局リソース制御部の制御方法。
【手続補正３】
【補正対象書類名】明細書
【補正対象項目名】００１８
【補正方法】変更
【補正の内容】
【００１８】
【課題を解決するための手段】
上記目的を達成するために本発明は、
移動通信システムであって、
無線伝送方式から独立した制御を行う端末リソース制御部と、
無線伝送方式に依存した制御を行う複数の基地局リソース制御部とを有し、
前記端末リソース制御部が、前記複数の基地局リソース制御部を管理する。
【手続補正４】
【補正対象書類名】明細書
【補正対象項目名】００１９
【補正方法】変更
【補正の内容】
【００１９】
また、スイッチング装置を有し、
前記端末リソース制御部が、前記複数の基地局リソース制御部に前記スイッチング装置を介して接続されていることを特徴とする。
【手続補正５】
【補正対象書類名】明細書
【補正対象項目名】００２０
【補正方法】変更
【補正の内容】
【００２０】
また、前記スイッチング装置が、ルータ又はハブであることを特徴とする。
【手続補正６】
【補正対象書類名】明細書
【補正対象項目名】００２１
【補正方法】変更
【補正の内容】
【００２１】
また、前記端末リソース制御部が、前記複数の基地局リソース制御部から物理的に分離されていることを特徴とする。
【手続補正７】
【補正対象書類名】明細書
【補正対象項目名】００２２
【補正方法】変更
【補正の内容】
【００２２】
また、前記端末リソース制御部が、端末位置検出部と、共通無線リソース管理部と、ブロードキャストネットワーク素子と、モバイルコントローラと、からなることを特徴とする。
【手続補正８】
【補正対象書類名】明細書
【補正対象項目名】００２３
【補正方法】変更
【補正の内容】
【００２３】
また、前記複数の基地局リソース制御部は、それぞれ、セルコントローラと、無線レイヤ制御部と、セル伝達ゲートウェイと、ユーザ無線ゲートウェイと、からなることを特徴とする。
【手続補正９】
【補正対象書類名】明細書
【補正対象項目名】００２４
【補正方法】変更
【補正の内容】
【００２４】
また、前記複数の基地局リソース制御部は、それぞれ基地局に組み込まれていることを特徴とする。
【手続補正１０】
【補正対象書類名】明細書
【補正対象項目名】００２５
【補正方法】変更
【補正の内容】
【００２５】
また、移動端末を有することを特徴とする。
【手続補正１１】
【補正対象書類名】明細書
【補正対象項目名】００２６
【補正方法】変更
【補正の内容】
【００２６】
また、移動通信システムの制御方法であって、
端末リソース制御部が無線伝送方式から独立した制御を行う工程と、
複数の基地局リソース制御部が無線伝送方式に依存した制御を行う工程とを有し、
前記端末リソース制御部が、前記複数の基地局リソース制御部を管理する。
【手続補正１２】
【補正対象書類名】明細書
【補正対象項目名】００２７
【補正方法】変更
【補正の内容】
【００２７】
また、移動通信システムであって、
無線伝送方式から独立した制御を行う複数の端末リソース制御部と、
無線伝送方式に依存した制御を行う基地局リソース制御部とを有し、
前記複数の端末リソース制御部が、前記基地局リソース制御部を管理する。
【手続補正１３】
【補正対象書類名】明細書
【補正対象項目名】００２８
【補正方法】変更
【補正の内容】
【００２８】
また、スイッチング装置を有し、
前記複数の端末リソース制御部が、前記基地局リソース制御部に前記スイッチング装置を介して接続されていることを特徴とする。
【手続補正１４】
【補正対象書類名】明細書
【補正対象項目名】００２９
【補正方法】変更
【補正の内容】
【００２９】
また、前記複数の端末リソース制御部が、前記基地局リソース制御部から物理的に分離されていることを特徴とする。
【手続補正１５】
【補正対象書類名】明細書
【補正対象項目名】００３０
【補正方法】変更
【補正の内容】
【００３０】
また、前記複数の端末リソース制御部は、それぞれ、端末位置検出部と、共通無線リソース管理部と、ブロードキャストネットワーク素子と、モバイルコントローラと、からなることを特徴とする。
【手続補正１６】
【補正対象書類名】明細書
【補正対象項目名】００３１
【補正方法】変更
【補正の内容】
【００３１】
また、前記基地局リソース制御部が、セルコントローラと、無線レイヤ制御部と、セル伝達ゲートウェイと、ユーザ無線ゲートウェイと、からなることを特徴とする。
【手続補正１７】
【補正対象書類名】明細書
【補正対象項目名】００３２
【補正方法】変更
【補正の内容】
【００３２】
また、基地局リソース制御部が、基地局に組み込まれていることを特徴とする。
【手続補正１８】
【補正対象書類名】明細書
【補正対象項目名】００３３
【補正方法】変更
【補正の内容】
【００３３】
また、移動通信システムの制御方法であって、
複数の端末リソース制御部が無線伝送方式から独立した制御を行う工程と、
基地局リソース制御部が無線伝送方式に依存した制御を行う工程とを有し、
前記複数の端末リソース制御部が、前記基地局リソース制御部を管理する。
【手続補正１９】
【補正対象書類名】明細書
【補正対象項目名】００３４
【補正方法】変更
【補正の内容】
【００３４】
また、端末リソース制御部であって、
端末位置検出部と、
共通無線リソース管理部と、
ブロードキャストネットワーク素子と、
モバイルコントローラとを有し、
前記端末リソース制御部が、無線伝送方式から独立した制御を行い、かつ、無線伝送方式に依存した制御を行う複数の基地局リソース制御部を管理する。
【手続補正２０】
【補正対象書類名】明細書
【補正対象項目名】００３５
【補正方法】変更
【補正の内容】
【００３５】
また、端末リソース制御部の制御方法であって、
無線伝送方式から独立した制御を行う工程を有し、
前記端末リソース制御部が、無線伝送方式に依存した制御を行う複数の基地局リソース制御部を管理する。
また、基地局リソース制御部であって、
セルコントローラと、
無線レイヤ制御部と、
セル伝達ゲートウェイと、
ユーザ無線ゲートウェイとを有し、
前記基地局リソース制御部が、無線伝送方式に依存した制御を行い、かつ、無線伝送方式から独立した制御を行う複数の端末リソース制御部により管理される。
また、基地局リソース制御部の制御方法であって、
無線伝送方式に依存した制御を行う工程を有し、
前記基地局リソース制御部が、無線伝送方式から独立した制御を行う複数の端末リソース制御部を管理する。